(57)【要約】【課題】筆記具ホルダを、筆記具の装着が容易にでき、装着した筆記具の位置を容易に変更できるようにする。【解決手段】利用者の手に装着されるバンド本体２と、このバンド本体２とともに筆記具６を保持するための保持部７を形成する仕切部材３とを備えた筆記具ホルダにおいて、前記仕切部材３は、バンド本体２の長手方向に移動可能に取り付けられており、前記仕切部材３とバンド本体２を相対的に移動させることで前記保持部７の大きさを変更可能としている。【選択図】図１
2006240028.tif 000002
【特許請求の範囲】
【請求項１】
利用者の手に装着されるバンド本体（２）と、このバンド本体（２）とともに筆記具（６）を保持するための保持部（７）を形成する仕切部材（３）とを備えた筆記具ホルダにおいて、
前記仕切部材（３）は、バンド本体（２）の長手方向に移動可能に取り付けられており、前記仕切部材（３）とバンド本体（２）を相対的に移動させることで前記保持部（７）の大きさを変更可能としたことを特徴とする筆記具ホルダ。
【請求項２】
前記仕切部材（３）は弾性変形可能な板形状とされており、この仕切部材（３）には前記バンド本体（２）を挿通する挿通孔（５）が板厚方向に貫通して形成されていることを特徴とする請求項１に記載の筆記具ホルダ。
【請求項３】
前記仕切部材（３）は円板状に形成されていることを特徴とする請求項２に記載の筆記具ホルダ。
【請求項４】
前記仕切部材（３）は、前記バンド本体（２）を挿通する挿通孔（５）を有する本体部（１３）を有し、この本体部（１３）には、バンド本体（２）との間で筆記具（６）を受ける受け部（１４）が設けられていることを特徴とする請求項１に記載の筆記具ホルダ。
【請求項５】
前記バンド本体（２）に複数の仕切部材（３）が設けられていることを特徴とする請求項１から４のいずれかに記載の筆記具ホルダ。
【発明の詳細な説明】
【技術分野】
【０００１】
本発明は、利用者の手に装着されて筆記具を保持する筆記具ホルダに関する。
【背景技術】
【０００２】
例えば、この種の技術として、補助バンドの一部に筆記具を保持するための保持部が設けられた筆記具用の補助バンドがある。この補助バンドの保持部は、２本のバンド部材の一部同士を所要長さで重ね合わせ、その重ね合わせた位置を所定間隔をあけて糸で縫合することによって筆記具を挿通できるようになっている。
【特許文献１】登録実用新案公報第３０７０５１１号
【発明の開示】
【発明が解決しようとする課題】
【０００３】
従来の補助バンドについては、保持部がバンド部材を縫合することによって形成されていたため、環状の補助バンドに対して保持部の位置を変更できなかった。したがって、補助バンドを手に装着したあとの筆記具の位置の調整がしにくかった。また、保持部の大きさは一定であったため、比較的大きな筆記具を保持部に取り付けにくい場合があった。
そこで、本発明は、筆記具の保持部への取り付けが容易にでき、保持部の位置を変更して筆記具の位置を容易に調整できる筆記具ホルダを提供することを目的とする。
【課題を解決するための手段】
【０００４】
本発明は、上記の課題を解決するために以下の技術的手段を講じた。
第１に、利用者の手に装着されるバンド本体と、このバンド本体とともに筆記具を保持するための保持部を形成する仕切部材とを備えた筆記具ホルダにおいて、前記仕切部材は、バンド本体の長手方向に移動可能に取り付けられており、前記仕切部材とバンド本体を相対的に移動させることで前記保持部の大きさを変更可能としたことを特徴とする。
これによれば、保持部を予め筆記具より大きくしておけば、筆記具を保持部に装着しやすくなり、また仕切部材をバンド本体に対して移動可能にしているので、保持部の位置を変更でき、これによって筆記具ホルダを利用者の手に装着したときに筆記具の位置を調整が容易になる。
【０００５】
第２に、前記仕切部材は弾性変形可能な板形状とされており、この仕切部材には前記バンド本体を挿通する挿通孔が板厚方向に貫通して形成されていることを特徴とする。
これによれば、仕切部材の挿通孔にバンド本体を挿通することで、バンド本体と仕切部材との間に保持部を形成することができ、これによって筆記具ホルダは筆記具を保持できる。また仕切部材は、弾性変形可能な板形状とされているので、種々の大きさの筆記具の形状に応じて変形できる。したがって、筆記具ホルダは、様々な形状の筆記具を保持できる。
【０００６】
第３に、前記仕切部材は円板状に形成されていることを特徴とする。
これによれば、仕切部材は、筆記具等に触れても損傷し難くなり、また見栄えもよいものになる。
第４に、前記仕切部材は、前記バンド本体を挿通する挿通孔を有する本体部を有し、この本体部には、バンド本体との間で筆記具を受ける受け部が設けられていることを特徴とする。
これによれば、受け部とバンド本体によって筆記具を挟むように保持できる。
【０００７】
第５に、前記バンド本体に複数の仕切部材が設けられていることを特徴とする。
これによれば、筆記具ホルダは、複数の保持部を備え、複数の筆記具を保持できる。
【発明の効果】
【０００８】
本発明によれば、筆記具の保持部への取り付けが容易にでき、保持部の位置を変更して筆記具の位置を容易に調整できる。
【発明を実施するための最良の形態】
【０００９】
以下、図面を参照しながら本発明の実施の形態を説明する。
図１乃至図３は、本発明の第１実施形態を示している。筆記具ホルダ１は、利用者の手に装着されるバンド本体２と、このバンド本体２に取付けられた仕切部材３とを有している。
バンド本体２は、例えば弾性ゴム等の樹脂によって帯状に形成されている。バンド本体２の端部同士は、リベット等の止め具４によって連結され、これによってバンド本体２は環状になっている。
【００１０】
前記仕切部材３は、弾性ゴム等の樹脂によって板状に形成されている。特にこの第１実施形態では、仕切部材３は円板状に形成されている。このように仕切部材３を円板状にすることで、仕切部材３が筆記具６等と接触した場合にも損傷しにくく、また見た目も美観の良いものになる。
図１に示すように、仕切部材３には２つの孔５（又は切り込み）が板厚方向に貫通して形成されている。この孔５はバンド本体２を挿通する挿通孔５とされており、バンド本体２をこの挿通孔５に挿通させることで、仕切部材３とバンド本体２との間に筆記具６を保持する保持部７を形成できるようになっている。
【００１１】
仕切部材３は、その挿通孔５にバンド本体２が挿通されることでバンド本体２の長手方向に移動可能に取り付けられている。これによって、仕切部材３とバンド本体２は相対的に移動可能となっている。
前記保持部７は、図１に示すように、仕切部材３の表面とバンド本体２の一部とによって環状に区画形成されており、この部分に鉛筆、ボールペン等の筆記具６を挿通できるようになっている。さらに具体的には、保持部７は、仕切部材３の表面（上側の面）とこの表面と対向するバンド本体２の内側の面とによって筆記具６を挟むようになっている。なお、仕切部材３の裏面（下側の面）は筆記具ホルダ１が利用者の手に装着されたときに手の甲に接触する接触面となっている。
【００１２】
図１に示すように、仕切部材３とバンド本体２を相対的に移動させることで、保持部７は、その大きさを変更できる。これによって、筆記具ホルダ１は、太さや形状の異なる種々の筆記具６を保持できる。また、予め筆記具６の太さよりも保持部７を大きくしておけば、この保持部７に筆記具６を挿通し易くなり、筆記具６を筆記具ホルダ１に楽に取り付けることができる。
筆記具ホルダ１を使用するには、まず保持部７に筆記具６を挿通して保持させる。このとき、仕切部材３は、筆記具６の形状に応じて若干弾性変形してこの筆記具６に密着する。そしてバンド本体２に手を通し、筆記具ホルダ１を手の甲の部分に装着する。このとき、バンド本体２が伸張して弾性力を生じ、手の甲に密着する。
【００１３】
筆記具ホルダ１が手の甲に装着された場合、保持部７は、図３に示すように人差し指の根元近傍に位置している。この状態では、筆記具６は、人差し指を伸ばしたときの方向にほぼ沿って保持部７に保持されている（以下、この位置を筆記具６の待機位置という）。
図３に示すように、筆記具６が待機位置にあるときは、例えば電卓による計算作業や、パソコンのキーボードによる入力作業など、筆記作業以外の作業ができる。
筆記作業を行う場合には、図３の状態から人差し指を筆記具６に掛け、親指と人差し指で筆記具６を掴んで通常の筆記作業と同様に筆記具６を使用することができる。この状態では、バンド本体２が捩られてさらに弾性変形しており、筆記具６を離すと、この筆記具６はバンド本体２の弾性力によって再び図３に示すような待機位置に戻される。
【００１４】
このように、筆記具ホルダ１を使用することで、筆記作業と他の作業を素早く切り換えることができるとともに、筆記具６を紛失することもなくなり、作業効率が向上する。
図４乃至図６は本発明の第２実施形態を示している。
この第２実施形態では、バンド本体２に人差し指が掛かる指掛け部１０が形成されている点が第１実施形態と異なる。指掛け部１０は、バンド本体２と同様なバンド体の両端部を止め具１１によってバンド本体２に固定することで環状に形成されている。
この第２実施形態では、人差し指をこの環状の指掛け部１０に通して筆記具ホルダ１を手の甲に装着することで、筆記具６の位置ずれを防止するとともに、筆記具６を安定した姿勢で保持することができる。その他の点（バンド本体２、仕切部材３の材質、形状等）は第１実施形態と同様である。
【００１５】
図７は、本発明の第３実施形態を示している。
この第３実施形態では、バンド本体２に複数の仕切部材３が設けられている点が、第１，第２実施形態と異なる。この第２実施形態では、バンド本体２に２個の仕切部材３を設けることで、２つの保持部７を形成し、２本の筆記具６を保持できる。なお、この仕切部材３の数は、３個以上の複数であってもよい。その他の点は、第１実施形態と同様の構成である。
図８、図９は、本発明の第４実施形態を示している。
【００１６】
この第４実施形態では、仕切部材３が第１乃至第３実施形態のものよりも硬質な樹脂で弾性変形可能に形成されている。この仕切部材３は、バンド本体２を挿通する挿通孔５を備えた本体部１３と、前記バンド本体２との間で筆記具６を受ける受け部１４を有している。
本体部１３は、平面視でほぼ長方形状となっており、手の甲の形状に合うように側面視で円弧状に湾曲形成されている。バンド本体２を挿通する挿通孔５の数は２であり、各挿通孔５は、本体部１３の長手方向に離間されて形成されている。
【００１７】
前記受け部１４は、本体部１３の中途部に一体に形成されており、図９に示すように、本体部１３の２つの挿通孔５の間に設けられている。受け部１４はその一端部が円弧状に湾曲して上方に突出するように形成されており、この部分が筆記具６を位置ずれを防止するための支持壁１６となっている。
この第４実施形態では、筆記具ホルダ１を手の甲に装着した場合、前記受け部１４の一端部の支持壁１６は一差し指寄りに位置し、支持壁１６が形成されていない受け部１４の他端部が親指寄りに位置する。このようにすることで、支持壁１６が待機位置にある筆記具６の位置ずれを防止しながら、待機位置にある筆記具６に人差し指を掛けて引き寄せたときに、この支持壁１６が極力邪魔にならないようになる。
【００１８】
図１０、図１１は、本発明の第５実施形態を示している。
前記第４実施形態では、受け部１４に１つの支持壁１６が形成されていたが、この第５実施形態では、受け部１４に２つの支持壁１６が形成されている。各支持壁１６は互いに対向状に設けられており、待機位置にある筆記具６は２つの支持壁１６の間に挟まれるように支持される。このように、受け部１４に２つの支持壁１６を形成することで、保持部７に保持された筆記具６は待機位置にあるときに、その横ずれが防止される。
前記一対の支持壁１６の一方は、その一部が切り欠かれており（以下、この切り欠かれた部分を切欠部１７という）、待機位置にある筆記具６に人差し指を掛けて引き寄せたときに、筆記具６は、この切欠部１７を支点として回動し、利用者の手元に引き寄せられる。このように、受け部１４に切欠部１７を形成することによって、利用者が筆記具６を引き寄せたときに支持壁１６が極力邪魔にならないようになる。
【００１９】
前記仕切部材３の本体部１３には、バンド本体２を挿通するための４つの挿通孔５が形成されている。前記受け部１４は本体部１３の長手方向のほぼ中央に設けられており、この受け部１４を挟んで本体部１３の一端部側に２つの挿通孔５、そして他端部側に２つの挿通孔５が形成されている。以下、この４つの挿通孔５を本体部１３の一端部側から他端部側に向かって、順に第１挿通孔５ａ、第２挿通孔５ｂ、第３挿通孔５ｃ、第４挿通孔５ｄという。
バンド本体２は、本体部１３の上面（表面）側から第１挿通孔５ａに挿通され、本体部１３の下面（裏面）側から第２挿通孔５ｂに挿通されている。そして、このバンド本体２は、受け部１４の上方を通って、本体部１３の上面側から第３挿通孔５ｃに挿通され、本体部１３の下面側から第４挿通孔５ｄに挿通されている。このようにすることで、筆記具ホルダ１、仕切部材３をバンド本体２の長手方向に移動可能として保持部７の大きさを変更できるようにしながら、利用者の手に装着されたときに仕切部材３がバンド本体２に対して位置ずれし難い構成になる。その他の点は、第４実施形態と同様の構成であり、同様の作用効果を生じる。
【００２０】
図１２、図１３は、本発明の第６実施形態を示している。
この第６実施形態では、仕切部材３の受け部１４は、平面視で四角形状（図例では菱形）とされている。受け部１４には、２つの支持壁１６が設けられており、各支持壁１６は四角形状の受け部１４の互いに対向する角部に形成されている。各支持壁１６は、上方に向かうにつれて先細りとなる尖端形状となっている。支持壁１６をこのような尖端形状とすることによって、待機位置にある筆記具６に指を掛けて引き寄せるときに、支持壁１６が邪魔にならず、かつ待機位置にある筆記具６が位置ずれしないように支持することができる。なお、バンド本体２は、２本のバンド体を連結することで、その長さを調整可能となっている。その他の点は第５実施形態と同様の構成であり、同様の作用効果を生じる。
【００２１】
図１４、図１５は、本発明の第７実施形態を示している。
この第７実施形態では、仕切部材３の本体部１３の上面側中途部に、第１凹部１９が形成されており、この第１凹部１９が筆記具６の受け部１４となっている。この第１凹部１９は、バンド本体２の帯幅方向の沿って形成されており、また、前記本体部１３の全幅にわたって形成されている。またこの第１凹部１９は、本体部１３の上面から板厚方向にへこんで形成されている。
この本体部１３の側部には、この本体部１３の幅方向にへこんだ第２凹部２０が形成されている。この第２凹部２０は、本体部１３の長手方向において第１凹部１９の位置とほぼ同じ位置に形成されている。またこの第２凹部２０は、本体部１３の幅方向の両側に形成されている。この第２凹部２０は、待機位置にある筆記具６に指を掛けて引き寄せたときに利用者に抵抗を感じさせずにスムーズに手元に引き寄せることができるようにするためのものである。
【００２２】
本体部１３に形成された挿通孔５の数は４であり、バンド本体２の挿通孔５への挿通の仕方や、バンド本体２の長さ調整可能な構成は第６実施形態と同じであり、同様の作用効果を生じる。
なお、本発明は上記の実施形態に限らず種々の変更・変形が可能である。
例えば、バンド本体２を環状にするためにこのバンド本体２の端部同士を連結する止め具４には、フック状のもの、面ファスナー等、種々の連結手段を用いてもよい。本発明の第１、第２、第４乃至第７実施形態の筆記具ホルダ１を第３実施形態のようにバンド本体２に複数の仕切部材３を設けた構成にしてもよい。第４乃至第６実施形態に係る仕切部材３については、本体部１３と受け部１４を別個に形成して、これらを溶着または接着によって一体に形成してもよく、また成形型を用いて本体部１３と受け部１４を一体成形してもよい。上記の実施形態では、仕切部材３に２つまたは４つの挿通孔５が形成された場合を例示したが、この挿通孔５の数は、３つ、５つ以上であってもよく、偶数、奇数のいずれであってもよい。また、挿通孔５を仕切部材３に１つだけ形成し、バンド本体２を折り曲げて、その曲げられた突端部をこの挿通孔５に挿通し、バンド本体２と仕切部材３とで環状の保持部７を形成することもできる。この場合には、バンド本体２から仕切部材３が抜けはずれないようにバンド本体２にピン等のストッパを設けるようにすることもできる（勿論、ストッパを設けなくても本発明を実施可能である）。
【００２３】
第１乃至第３実施形態において、仕切部材３は、円板状のものを例示したが、他の形状、例えば三角形、四角形状等の多角形状、楕円板形状、星形状等の種々の形状にしてもよい。
【産業上の利用可能性】
【００２４】
本発明は、筆記具を保持する筆記具ホルダとして利用できる。
【図面の簡単な説明】
【００２５】
【図１】本発明の第１実施形態を示す筆記具ホルダの斜視図である。
【図２】同じく筆記具ホルダを手に装着して筆記作業をしている状態を示す斜視図である。
【図３】同じく筆記具ホルダを手に装着して筆記作業以外の作業をしている状態を示す斜視図である。
【図４】本発明の第２実施形態を示す筆記具ホルダの斜視図である。
【図５】同じく筆記具ホルダを手に装着して筆記作業をしている状態を示す斜視図である。
【図６】同じく筆記具ホルダを手に装着して筆記作業以外の作業をしている状態を示す斜視図である。
【図７】本発明の第３実施形態を示す筆記具ホルダの斜視図である。
【図８】本発明の第４実施形態を示す筆記具ホルダの斜視図である。
【図９】同じく仕切部材の斜視図である。
【図１０】本発明の第５実施形態を示す筆記具ホルダの斜視図である。
【図１１】同じく仕切部材の斜視図である。
【図１２】本発明の第６実施形態を示す筆記具ホルダの斜視図である。
【図１３】同じく仕切部材の斜視図である。
【図１４】本発明の第７実施形態を示す筆記具ホルダの斜視図である。
【図１５】同じく仕切部材の斜視図である。
【符号の説明】
【００２６】
１    筆記具ホルダ
２    バンド本体
３    仕切部材
５    挿通孔
６    筆記具
７    保持部
１３    本体部
１４    受け部
【図１】
2006240028.tif 000003
【図２】
2006240028.tif 000004
【図３】
2006240028.tif 000005
【図４】
2006240028.tif 000006
【図５】
2006240028.tif 000007
【図６】
2006240028.tif 000008
【図７】
2006240028.tif 000009
【図８】
2006240028.tif 000010
【図９】
2006240028.tif 000011
【図１０】
2006240028.tif 000012
【図１１】
2006240028.tif 000013
【図１２】
2006240028.tif 000014
【図１３】
2006240028.tif 000015
【図１４】
2006240028.tif 000016
【図１５】
2006240028.tif 000017